(57)【要約】【課題】本発明は、生態検査時の試料の取扱いに使用するピン又はピンセットを清掃を極めて容易に行えるようにした清掃器を提供するものである。【解決手段】ピン又はピンセットを突刺しできるように、硬質な繊維状体をスポンジ状、綿状又はたわし状にしてなる突刺し層を内部に収納した容器と、この容器を所定温度に加熱する加熱装置とよりなることを特徴とする構成を採用した。  突刺し層にピン又はピンセットを突刺すと、繊維状体により、ピン又はピンセットを拭ったと同様な作用が得られる。  また、これを加熱することにより、水分等の気化成分を蒸散し、ワックスを軟化又は溶融して付着要因を減少し離脱し易くする。  これらの両作用により、ピン又はピンセットを本清掃器に突刺すのみでその清掃ができ、ウエスで拭うような操作が不要となった。【選択図面】  図１【特許請求の範囲】
【請求項１】
小さな試料片を取り扱うためのピン又はピンセット等を清掃する清掃器において、ピン又はピンセットを突刺しできるように、硬質な繊維状体をスポンジ状、綿状又はたわし状にしてなる突刺し層を内部に収納した容器とよりなることを特徴とするピン又はピンセット等の清掃器。
【請求項２】
前記請求項１に記載のピン又はピンセット等の清掃器であって、前記容器を所定温度に加熱する加熱装置が設けてあることを特徴とするピン又はピンセット等の清掃器。
【請求項３】
前記請求項２に記載のピン又はピンセット等の清掃器であって、加熱装置による加熱温度は、前記突刺し層がパラフィンの融点以上になるように設定してあること特徴とするピン又はピンセット等の清掃器
【請求項４】
前記請求項２又は３に記載のピン又はピンセット等の清掃器であって、容器と加熱装置とは着脱自在に取り付けられていることを特徴とするピン又はピンセット等の清掃器
【請求項５】
前記請求項２から４のいずれかに記載のピン又はピンセット等の清掃器であって、繊維状体は、金属であることを特徴とするピン又はピンセット等の清掃器
【請求項６】
前記請求項１から５のいずれかに記載のピン又はピンセット等の清掃器であって、前記容器内に、前記突刺し層を浸漬した状態で殺菌液を貯留してあることを特徴とするピン又はピンセット等の清掃器。
【請求項７】
前記請求項１から６のいずれかに記載のピン又はピンセット等の清掃器であって、前記突刺し層は、容器より取出し可能にしてあることを特徴とするピン又はピンセット等の清掃器
【発明の詳細な説明】
【技術分野】  本発明は、生態検査用の微小な試料を取扱うときに使用するピン又はピンセットなどにおいて、これらを容易に清掃するための清掃器に関する。
【背景技術】
【０００１】  生態検査用の試料は、幾つかの処理が行われ、その度に容器を変更するなどの作業が必要である。
容器の移し替えにあたっては、試料をピンに付着させたり、ピンセットで挟んだりして移動させていた。
このとき、ピンやピンセット（以下、ピンセット等と記す。）の先端部分には、試料自体の一部やそれを包み込んでいるパラフィンなどが付着する場合があり、これらの付着物が他の試料に転移した場合は、試料が混在したこととなり、検査結果が狂ってしまう恐れがあった。
このため、従来は、一回の試料移動の度に、ピンセット等の使用部分をウエス等により拭っていた。
しかし、パラフィンなどが強く付着した場合は、拭っただけでは不十分であり、拭う前にバーナー等で加熱していた。
このため、作業の効率が極めて悪く、また、ピンセット等の清掃状況を目視で判断できる程の技能を身につける必要があった。
【発明の開示】
【発明が解決しようとする課題】
【０００２】  本発明は、このような実情にかんがみ、ピンセット等をウエス等で拭うことなく、容易に付着物を除去しえる清掃器を提供することを課題とした。
【課題を解決するための手段】
【０００３】  本第一発明は、ピン又はピンセットを突刺しできるように、硬質な繊維状体をスポンジ状、綿状又はたわし状にしてなる突刺し層を内部に収納した容器よりなることを特徴とする構成を採用した。
突刺し層にピン又はピンセットを突刺すと、ピン又はピンセットは繊維状体に幾度となく擦れることとなり、拭ったと同様な作用が得られる。
その結果、本清掃器に突刺すのみでその清掃ができ、ウエスで拭うような操作が不要となった。【０００４】  本第二発明は、前記第一発明において前記容器を所定温度に加熱する加熱装置が設けてあることを特徴とする構成を採用した。
このようにして、容器を加熱することにより、ピン又はピンセットに付着したワックス等を軟化又は溶融して付着要因を減少し、より離脱し易くすることができた。【０００５】  本第三発明は、前記第二発明において加熱装置による加熱温度は、前記突刺し層がパラフィンの融点以上になるように設定してあること特徴とする構成を採用したので、パラフィン包埋された試料を取扱ったピン又はピンセットでも容易に清浄化することができた。【０００６】  本第四発明は、前記第二発明又は第三発明において、容器と加熱装置とは着脱自在に取り付けられていることを特徴とする構成を採用したので、容器を加熱装置から切り離して洗浄することができ、加熱装置にある電気回路等の部品を傷めることなく容器を洗浄することができた。【０００７】  本第五発明は、前記第二発明から第四発明のいずれかにおいて、繊維状体は、金属であることを特徴とする構成を採用した。
このようにすることにより、突刺し層の加熱が急速に行えるので、極短いリードタイムで加熱状態での使用を可能にすることができ、また、加熱装置における加熱温度を低いものに押さえ、使用エネルギーをより小さいものにできた。【０００８】  本第六発明は、前記第一発明から第五発明のいずれかにおいて、前記容器内に、前記突刺し層を浸漬した状態で殺菌液を貯留してあることを特徴とする構成を採用した。
このようにすることにより、ピン又はピンセットとこれらに付着していた異物をも滅菌することができると共に、突刺し層によるこそぎ作用と同時に洗浄作用も発揮し、より確実かつ安全な作業が可能になった。
さらに、加熱装置が設けてあるものでは、殺菌液を過熱するので、ピン又はピンセットをこの容器から取出したときに素早く乾燥させることができ、殺菌液が試料に付着したり、テーブルその他に滴下してこれらを汚すようなことがなくなった。【０００９】  本第七発明は、前記第一発明から第六発明のいずれかにおいて、前記突刺し層は、容器より取出し可能にしてあることを特徴とする構成を採用した。
このようにすることにより、容器内部及び突刺し層の清掃が簡単になり、清浄な状態を維持することが容易になった。
【発明の効果】
【００１０】  以上要するに、本発明では、ピン又はピンセットを本清掃器に突刺すだけで、それらの付着物を除去し、試料への異試料の混入という問題を回避することができ、生態試料の検査効率を著しく向上するとともに、その信頼性も高めうるものである。
さらに、同様なピン又はピンセットを複数交換して使用する場合は、容器内へのピン又はピンセット保持時間を十分長くすることができ、パラフィン等を溶融するなど付着物の除去に少々時間を要する場合でも、試料の移動作業を中断する必要がなくなり、作業効率の一層の向上を図ることができた。
【発明を実施するための最良の形態】
【００１１】
【実施例】
【００１２】  （１０）は加熱装置、（２０）は容器、（３０）は突刺し層、（Ｐ）はピンセットの一例を示す。
加熱装置（１０）は、耐熱性かつ断熱性の合成樹脂よりなる基台（１１）と、この基台（１１）に保持された金属製の加熱盤（１２）と、この加熱盤（１２）を加熱する電気回路（１３）とより構成されている。
前記電気回路（１３）は、前記加熱盤（１２）内に挿入したヒータ（１４）とサーモスタット（図外）により、前記加熱盤（１２）の温度が９０℃となるように設定してある。
当該温度は、突刺し層（３０）が６０℃を維持するように設定したものである。
なお、（１５）は電源を入切するスイッチ、（１６）は加熱状態のときに点灯するパイロットランプである。
前記加熱盤（１２）は、中央に、前記容器（２０）の下部を受け入れる凹所（１７）を設けた皿状に形成してある。
この凹所（１７）には、前記容器（２０）を着脱自在に固定するために突起（１８）（１８）が内側に向かって突出して固定してある。
前記容器（２０）は、下端を閉じた金属製の円筒（２１）と、この円筒（２１）の上端に嵌め込んだ耐熱性かつ断熱性の合成樹脂製のリングカバー（２２）と、前記円筒（２１）の外周を取巻き、両端を金具（２４）にて連結した合成ゴム製のゴムカバー（２３）とにより構成されている。
前記リングカバー（２２）は、ピンセット（Ｐ）が円筒（２１）の上端に接触することを防止するものである。
このようにして、前記円筒（２１）が加熱されていても、ピンセット（Ｐ）の上部が外気にて冷却され、作業者が火傷を負わないようにしてある。
なお、前記リンクカバー（２２）を上方に引張ると前記円筒（２１）から抜取ることができので、前記突刺し層（３０）を前記円筒（２１）から容易に取出すことができる。
また、前記ゴムカバー（２３）により、本容器（２０）を加熱装置から取外すときに作業者が火傷を負わないようにした。
前記円筒（２１）の下部周囲には、前記突起（１８）（１８）が嵌り込み、容器（２０）を回転させることにより、容器（２０）を下方に押さえつける逆Ｌの字状の溝（２５）（２５）が設けてある。
このようにして、前記容器（２０）を加熱装置（１０）に着脱自在に取付てある。
前記突刺し層（３０）は、一般に市販されているステンレスたわしを適当な形状に加工して、前記円筒（２１）内に詰込んだものである。【００１３】  図示しないが、前記容器（２０）内には、殺菌液であるアルコール水溶液を前記突刺し層（３０）の略全体が浸漬するように溜めておくことができる。
このように液体を容器（２０）内に溜めると、容器（２０）から突刺し層（３０）への熱伝導率が飛躍的に向上するので、加熱装置（１０）における加熱温度を７０℃前後に低くしても、前記突刺し層（３０）を６０℃に維持することができた。
【その他の実施例】
【００１４】  前記突刺し層（３０）が金属製である場合は、前記容器（２０）の円筒（２１）の底壁を金属製とし、その他の部分を耐熱性で断熱性の樹脂製にすることにより、前記リングカバー（２２）、ゴムカバー（２３）を不要とすることができる。
なお、このように構成した場合でも、容器（２０）内に殺菌液を溜めておけば、加熱装置における加熱温度を差ほど高くしなくとも、突刺し層（３０）を所定の温度に維持できるが、そうでない場合は、その温度を１００℃以上に設定する必要がある。
【００１５】  前記突刺し層（３０）は、硬質樹脂製のスポンジ、数センチ程に切った細番手のテグスをランダ厶に丸めて綿状にしたものなどにより構成することも可能である。
非金属製の繊維状材を使用した場合でも、容器（２０）内に殺菌液を溜めておけば、加熱装置における加熱温度を差ほど高くしなくとも、突刺し層（３０）を所定の温度に維持できるが、そうでない場合は、その温度を１００℃以上に設定する必要がある。
【００１６】  なお、加熱装置を使用せず、容器（２０）及び突刺し層（３０）を常温において使用した場合でも、ピン又はピンセットの清掃は可能であった。
しかし、目視が不可能な極めて微小なパラフイン残渣がピン又はピンセットに残る可能性があるので実用上は、加熱装置を用いるのがより確実に効果を発揮しえる。
【産業上の利用可能性】
【００１７】  本発明は、人体や動物の組織を切り取りそれらに対し各種の検査を行う為に、試料を前処理する生態試料の処理分野で極めて有効に用いられるものである。
【図面の簡単な説明】
【図１】  本発明の実施例を示す一部切欠き正面図
【図２】  本発明の実施例を示す斜視図
【符号の説明】
（１０）加熱装置
（１１）基台
（１２）加熱盤
（１３）電気回路
（１４）ヒータ
（１５）スイッチ
（１６）パイロットランプ
（１７）凹所
（１８）突起
（２０）容器
（２１）円筒
（２２）リングカバー
（２３）ゴムカバー
（２４）金具
（２５）逆Ｌの字状の溝
（３０）突刺し層
（Ｐ）ピンセット
【図１】
2005031059.tif 000002
【図２】
2005031059.tif 000003